(57)【要約】【課題】コンテンツの削除モードにおいて、ムーブも選択可能とする記録再生装置を提供する。【解決手段】図３（ａ）のようにコンテンツの一覧を表示し、（ｂ）のようにユーザが削除又はムーブを所望するコンテンツを選択する。（ｃ）のようにコンテンツの利用メニューを表示する際、削除とムーブを同時に表示する。（ｄ）のようにムーブを選択した場合、（ｅ）のように、該当コンテンツをムーブ対象として一時的に記憶したことを示すメッセージを表示する。ムーブ対象のコンテンツの総記憶容量が所定の値を超えた場合は、（ｆ）のように一時的に記憶したムーブ対象のコンテンツを実際にムーブさせるためのムーブ処理画面に移行する。【選択図】図３
2008251088.tif 000002
【特許請求の範囲】
【請求項１】
コンテンツを一意に特定するコンテンツＩＤとコンテンツデータを記憶する少なくとも２つ以上の記録手段と、
前記記録手段に記憶されたコンテンツの削除を行う削除手段と、
前記記録手段の何れか１つに記憶されたコンテンツを前記記録手段の何れか１つへムーブを行うムーブ手段と、
前記記録手段、前記削除手段、前記ムーブ手段の動作の制御を行う制御手段と、を有する記録再生装置であって、
前記削除手段へ指示を行い、コンテンツを削除するための削除指示手段を表示する削除指示画面において、前記ムーブ手段へ指示を行い、コンテンツをムーブするためのムーブ指示手段を同時に表示することを特徴とする記録再生装置。
【請求項２】
前記記録再生装置は、ムーブコンテンツ記憶手段を備え、
前記ムーブ指示手段によって選択されたコンテンツを特定するコンテンツＩＤと該当コンテンツの記憶容量を、前記ムーブコンテンツ記憶手段に記憶し、
前記ムーブ指示手段によって選択されたコンテンツの総記憶容量が所定の値を超えた場合、ユーザにムーブ処理を行うよう促すことを特徴とする請求項１記載の記録再生装置。
【請求項３】
前記記録再生装置は、前記記録手段の記憶可能な空き領域を算出・管理する残量制御手段を有し、前記所定の値は、前記残量制御手段により得られるコンテンツのムーブ先となる前記記録手段の空き記憶容量であることを特徴とする請求項２記載の記録再生装置。
【請求項４】
前記記録再生装置は外部接続処理部を備え、前記記録手段の内１つ以上は、前記外部接続処理部を用いて接続される外付け可能な記録媒体であることを特徴とする請求項１から３の何れか１項記載の記録再生装置。
【請求項５】
前記記録再生装置は、表示装置に内蔵されることを特徴とする請求項１から４の何れか１項記載の記録再生装置。
【発明の詳細な説明】
【技術分野】
【０００１】
本発明は、コンテンツをムーブする手順の簡略化した記録再生装置に関する。
【背景技術】
【０００２】
近年、磁気ディスクや光ディスクの記憶容量は大容量化しており、また、テレビジョン放送のデジタル化され、テレビジョン放送によるコンテンツが配信され、ユーザは画質・音質の劣化を伴わずに大量のコンテンツの記録が可能となっている。このデジタルデータの容易な記録は、記録再生装置のユーザ側の利便性が向上すると供に、コンテンツの容易な複製の生成が可能なことによるコンテンツ配信者が有する著作権侵害の虞も危惧されている。従来、記録再生装置は、これらコンテンツの著作権の保護の観点から、記録再生装置にはコンテンツの複製を抑制しつつも、ユーザの利便性を維持するため、コンテンツを記録媒体から他の記録媒体へムーブできるよう構成されている。このような記録再生装置において、ユーザの利便性向上のための種々の技術が開示されている。
【０００３】
例えば、特許文献１では、放送番組の録画の際に、記録再生装置の記録容量を十分に確保するための記録データの自動削除を備え、自動削除は、記録データの管理情報としてユーザ別、録画日時、最終アクセス日時、アクセス回数、ジャンル、経過期間等の項目を設け、これらに基づきユーザ毎に自動削除の優先度を設定し、優先度に基づいて自動削除の対象となる記録データを選択し、削除する方法が開示されている。
【０００４】
また、特許文献２では、複数の記録媒体を備える記録再生装置において、ムーブ元記録媒体からムーブ先記録媒体へコンテンツの再生を行いつつムーブを行う際、まずムーブ先記録媒体に該複製は利用不可状態として複製を記録し、コンテンツの再生が終了したことを再生終了検知手段が検知されたことをもって、ムーブ先記録媒体のコンテンツの複製を利用可能とし、ムーブ元記録媒体のコンテンツを消去する方法が開示されている。
【０００５】
【特許文献１】特開２００７−４３２４０号公報
【特許文献２】特開２００６−１８５４７３号公報
【発明の開示】
【発明が解決しようとする課題】
【０００６】
しかしながら、特許文献１及び２の方法では、コンテンツをユーザが手動で選択して削除やムーブ等を行う際に適するものではない。また、このコンテンツのムーブや、削除と言った動作において、前述のように大容量化した記憶媒体におけるデータの移動は、コンテンツデータが大きくなるほど所要時間も増大する傾向にある。これにより、従来の記録再生装置では、映像の記録中である場合、コンテンツのムーブや削除が行えなくなり、逆にコンテンツのムーブや削除を行っている間、映像の記録が行えなくなるという問題点もあった。
【０００７】
本発明は上記課題を鑑みてなされたものであり、ユーザがコンテンツのムーブを行うことを容易とする記録再生装置を提供することを目的とする。
【課題を解決するための手段】
【０００８】
請求項１に係る記録再生装置は、コンテンツを一意に特定するコンテンツＩＤとコンテンツデータを記憶する少なくとも２つ以上の記録手段と、
前記記録手段に記憶されたコンテンツの削除を行う削除手段と、
前記記録手段の一方に記憶されたコンテンツを他方の記録手段へムーブを行うムーブ手段と、
前記記録手段、前記削除手段、前記ムーブ手段の動作の制御を行う制御手段と、を有する記録再生装置であって、
前記削除手段へ指示を行い、コンテンツを削除するための削除指示手段を表示する削除指示画面において、前記ムーブ手段へ指示を行い、コンテンツをムーブするためのムーブ指示手段を同時に表示することを特徴とする。
【０００９】
請求項１の構成によれば、コンテンツの削除を行うための削除指示画面の表示の際に、ムーブのためのムーブ指示手段を表示することができ、削除指示画面からコンテンツのムーブを行うことができる。
【００１０】
請求項２に係る記録再生装置は、請求項１記載の記録再生装置において、前記記録再生装置は、ムーブコンテンツ記憶手段を備え、
前記ムーブ指示手段によって選択されたコンテンツを特定するコンテンツＩＤと該当コンテンツの記憶容量を、前記ムーブコンテンツ記憶手段に記憶し、
前記ムーブ指示手段によって選択されたコンテンツの総記憶容量が所定の値を超えた場合、ユーザにムーブ処理を行うよう促すことを特徴とする。
【００１１】
請求項２の構成によれば、ムーブ指示を複数のコンテンツに亘って行った場合、ムーブを指示されたコンテンツをムーブコンテンツ記憶手段に記憶すると共に、ムーブを指示されたコンテンツの総記憶容量を算出し、所定の値と比較して、ムーブを指示されたコンテンツの総記憶容量が所定の値を超えるような場合、ユーザにムーブを指示したコンテンツを、ムーブ先の記憶媒体へ実際にムーブするよう促すことができる。
【００１２】
請求項３に係る記録再生装置は、請求項２記載の記録再生装置において、前記記録再生装置は、前記記録手段の記憶可能な空き領域を算出・管理する残量制御手段を有し、前記所定の値は、前記残量制御手段により得られるコンテンツのムーブ先となる前記記録手段の空き記憶容量であることを特徴とする請求項２記載の記録再生装置。
【００１３】
請求項３の構成によれば、ムーブ先の記憶媒体の空き容量を超えた場合、ムーブを所望するコンテンツの選択を中止し、選択済みのコンテンツのムーブを行うよう促すことができる。
【００１４】
請求項４に係る記録再生装置は、請求項１から３の何れか１項記載の記録再生装置において、前記記録再生装置は外部接続処理部を備え、前記外部接続処理部を用いて接続される外付け可能な記録媒体を前記記録手段として選択可能であることを特徴とする。
【００１５】
請求項４の構成によれば、外部接続処理部により接続される外付け可能な記録媒体を、記録手段として用いることができる。
【００１６】
請求項５に係る記録再生装置は、請求項１から４の何れか１項記載の記録再生装置において、前記記録再生装置は、表示装置に内蔵されることを特徴とする。
【００１７】
請求項５の構成によれば、記録再生装置は表示装置との一体型として構成される。
【発明の効果】
【００１８】
請求項１に係る記録再生装置は、コンテンツを一意に特定するコンテンツＩＤとコンテンツデータからなるコンテンツを記憶する少なくとも２つ以上の記録手段と、
前記記録手段に記憶されたコンテンツの削除を行う削除手段と、
前記記録手段の一方に記憶されたコンテンツを他方の記録手段へムーブを行うムーブ手段と、
前記記録手段、前記削除手段、前記ムーブ手段の動作の制御を行う制御手段と、を有する記録再生装置であって、
前記削除手段へ指示を行い、コンテンツを削除するための削除指示手段を表示する削除指示画面において、前記ムーブ手段へ指示を行い、コンテンツをムーブするためのムーブ指示手段を同時に表示するので、削除指示画面においてユーザがコンテンツの保存のためにムーブを所望するような場合、削除指示画面に削除指示手段と同時に表示されたムーブ指示手段によってムーブを指示することで、所望のコンテンツのムーブを行うことができ、コンテンツのムーブのための操作を短縮することができる。
【００１９】
請求項２に係る記録再生装置は、請求項１記載の記録再生装置において、前記記録再生装置は、ムーブコンテンツ記憶手段を備え、
前記ムーブ指示手段によって選択されたコンテンツを特定するコンテンツＩＤと該当コンテンツの記憶容量を、前記ムーブコンテンツ記憶手段に記憶し、
前記ムーブ指示手段によって選択されたコンテンツの総記憶容量が所定の値を超えた場合、ユーザにムーブ処理を行うよう促すので、例えば所定の値をムーブ先の記憶媒体の空き記憶容量とした場合等、選択されたコンテンツの総記憶容量がムーブ先の記憶媒体の空き容量を超えることによるムーブの失敗を未然に防ぐことができる。
【００２０】
請求項３に係る記録再生装置は、請求項２記載の記録再生装置において、前記記録再生装置は、前記記録手段の記憶可能な空き領域を算出・管理する残量制御手段を有し、前記所定の値は、前記残量制御手段により得られるコンテンツのムーブ先となる前記記録手段の空き記憶容量であるので、ムーブ先の記憶媒体の記憶容量が、実際にコンテンツのムーブを行っている最中に足りなくなることがなく、確実に選択したコンテンツのムーブを完了することができる。
【００２１】
請求項４に係る記録再生装置は、請求項１から３の何れか１項記載の記録再生装置において、前記記録再生装置は外部接続処理部を備え、前記外部接続処理部を用いて接続される外付け可能な記録媒体を前記記録手段として選択可能であるので、外部接続処理部を介して接続する多種多用な記録媒体に対して本発明によるムーブ機能を適用することができる。
【００２２】
請求項５に係る記録再生装置は、請求項１から４の何れか１項記載の記録再生装置において、前記記録再生装置は、表示装置に内蔵されるので、表示装置と記録再生装置の一体型の構成とすることで省スペース化を図ることができる。
【発明を実施するための最良の形態】
【００２３】
以下、本発明を実施するための最良の形態としての実施例を図１から図３を参照して説明する。もちろん、本発明は、その発明の趣旨に反さない範囲で、実施例において説明した以外のものに対しても容易に適用可能なことは説明を要するまでもない。
【００２４】
図１〜図３は、本発明の一実施例を示し、図１は、本実施例における記録再生装置の構成を示すブロック図である。図２は、記録再生装置の動作を示すフローチャート図である。図３は、本実施例における記録再生装置における削除指示画面の表示例を示す説明図であり、（ａ）はコンテンツのサムネイル表示時、（ｂ）はサムネイルによるコンテンツの選択時、（ｃ）は選択したコンテンツの処理方法一覧表示時、（ｄ）は、（ｃ）で表示される処理方法一覧からムーブを選択した際、（ｅ）は選択したコンテンツがムーブデータとして記憶された旨を表示する状態、（ｆ）はムーブを指示されたコンテンツがその時点で幾つあるか、をそれぞれ示している。
【００２５】
本実施例における記録再生装置の構成について、図１に基づいて説明する。１は記録媒体に記録された映像・音声を再生、及び記録媒体への映像・音声の記録を行う記録再生装置である。２は、図示しないアンテナを介して放送信号を受信するためのチューナである。３はチューナ２により受信した放送信号を映像・音声信号として処理する映像／音声処理部である。４は映像／音声処理部３や後述の記録媒体１、２から得た映像信号を同じく後述の表示部１０に表示するための表示処理部である。５は映像・音声データを蓄積するための記録手段であり、５１はＤＶＤ、５２はＨＤＤである。６は、映像／音声処理部３、表示処理部４、記録媒体５及び後述のメモリを含む記録再生装置１の動作の制御を行う内部制御部である。内部制御部６は、記録媒体５に記憶される映像データ等のコンテンツからサムネイルを作成し表示するサムネイル制御部６１、コンテンツの削除を行う削除手段たる削除制御部６２、指定したコンテンツを他の記録媒体若しくは他のフォルダに移動させるためのムーブ手段たるムーブ制御部６３、コンテンツや操作等を行うメニュー画面等の表示制御を行う表示制御部６４、記録媒体５の記録可能な残量をチェックする残量制御手段たる残量制御部６５、ユーザからの操作に基づいて上記各部の制御を行う制御部６６、ユーザからのリモコン操作を処理するキー処理部６７を有する。７は、内部制御部６の一時記憶領域であり、ムーブコンテンツ記憶手段を兼用するメモリである。８は、ユーザによる記録再生装置の操作を行うためのリモコン９からの操作信号を受信するためのリモコン受光部である。１０は、記録再生装置１から映像信号を受信して映像を表示するための表示装置である。
【００２６】
続いて、記録再生装置１によるコンテンツのムーブの際の動作について、図２に基づいて説明する。本実施例においては、コンテンツのムーブはＨＤＤ５２からＤＶＤ５１へ行うものとする。ユーザがコンテンツの削除を行う際に、リモコン９や記録再生装置１に据え付けられた削除キー等が押下される（Ｓ１０１）。記録媒体５に記録されたコンテンツデータを読み込む（Ｓ１０２）。１つ以上のコンテンツデータが存在する場合、各コンテンツをサムネイルとして一覧表示する（Ｓ１０３）。ユーザが削除又はムーブ処理を所望するコンテンツを選択した際、選択されたコンテンツを削除するための削除指示手段及びムーブするためのムーブ指示手段を同時に表示する（Ｓ１０４）。表示された指示手段の内、削除指示手段が選択されたか否かを判別し（Ｓ１０５）、削除指示手段が選択された場合は、削除処理方法（例えば「即削除」、「１週間後削除」等）の選択をユーザに促し、選択されたコンテンツに対して選択された削除処理設定を行う（Ｓ１０６）。削除設定が行われたコンテンツを削除データとして記憶する（Ｓ１０７）。その後、ステップＳ１０４に戻り、引き続き削除又はムーブするコンテンツの選択を行う。
【００２７】
ステップＳ１０５において、選択された指示手段が削除ではない場合、続いてムーブ指示手段が選択されたか否かを判別する（Ｓ１０８）。ムーブ指示手段が選択された場合は、選択されたコンテンツをムーブデータとしてメモリ７に一時的に記憶し（Ｓ１０９）、ムーブを指示されたコンテンツの容量を確認する（Ｓ１１０）。ここでは、ムーブ予定のコンテンツを選択するのみであり、実際にムーブを行うものではない。続いて、残量制御部６５によりムーブ先の記録媒体たるＤＶＤ５１の空き容量を算出し、ムーブを指示されたコンテンツの総記憶容量が空き容量を超えているかを判別し（Ｓ１１１）、空き容量が十分である場合はステップＳ１０４に戻り、更なるコンテンツの削除又はムーブの選択を促し、空き容量を超える場合は、現在選択中のコンテンツ以前にムーブ設定を行ったコンテンツのムーブ処理をユーザに促す（Ｓ１１２）。ステップＳ１０５及びステップＳ１０８において、ユーザが削除指示手段又はムーブ指示手段以外の指示手段を選択した場合は、その指示手段に該当する命令に従う（Ｓ１１３）。
【００２８】
次に、上記動作を行う際の表示部に表示される削除画面の例を、図３に基づいて説明する。ユーザによるリモコン９又は記録再生装置１の削除キーの操作によって図３（ａ）に示すようにサムネイルによるコンテンツの一覧が表示される。ユーザは図３（ｂ）に示すように、所望のコンテンツをカーソルにより選択し、決定キーを押下する。決定キーを押下すると、図３（ｃ）に示すように画面上にコンテンツに対する命令一覧が表示される。図３（ｄ）に示すように、命令一覧から「ムーブ」を選択し決定キーを押下すると、図３（ｅ）のように、選択したコンテンツをムーブするデータとして記憶する旨のメッセージを表示し、メモリ７に該当コンテンツをムーブ対象のデータとして一時記憶する。その際に、ムーブ対象となるコンテンツの総記憶容量がムーブ先の記憶媒体であるＤＶＤ５１の空き容量が所定の閾値（例えば９０％）を超える場合、図３（ｆ）に示すように、ムーブ対象となるコンテンツを実際にムーブするよう促す画面を表示する。
【００２９】
以上のような記録再生装置１の構成によれば、ユーザがコンテンツ一覧から削除を行う際に、削除せずにムーブを行い他の記憶媒体への退避を所望するコンテンツをユーザが発見した場合に、削除命令とムーブ命令を並列表記することで、削除指示画面から一旦メニュー画面に戻りムーブ指示画面に切り換えるといった一連の作業を簡略化することができ、ユーザの利便性が向上する。また、ムーブを選択したコンテンツを即時に記録媒体へムーブするのではなく、ムーブを所望するコンテンツをある一定量記憶し、一括でムーブを行うことで、複数のコンテンツのムーブをスムーズに行うことが可能となる。また、ＨＤＤ５２に記憶するコンテンツをＤＶＤ５１へムーブする手順を例として説明したが、ＤＶＤ５１、ＨＤＤ５２、又は外部記憶媒体５３の何れを用いたとしても上記動作は適用可能である。
【００３０】
以上、本発明の実施例について詳述したが、本発明は前記実施例に限定されるものではなく、本発明の要旨の範囲内で種々の変形実施が可能である。例えば、記録手段ＤＶＤ及びＨＤＤとして説明したが、映像データ等を記録可能な記録媒体であれば、その種類を限定するものではない。また、記録再生装置１は表示装置１０に接続して用いるものとして説明したが、これに限定せず、表示装置１０に記録再生装置１を内蔵した記録再生装置一体型表示装置としても何ら問題は無い。また、本実施例の記録再生装置おけるコンテンツのムーブ手順は、上記の手順のみではなく、上記手順と従来のように蓄積せずに直接ムーブを実行させる手順からユーザが選択することが可能な構成としてもよい。
【図面の簡単な説明】
【００３１】
【図１】本発明の実施例における、記録再生装置の構成を示すブロック図である。
【図２】同上、記録再生装置の動作を示すフローチャート図である。
【図３】同上、記録再生装置を使用する際の画面表示例を示す説明図である。
【符号の説明】
【００３２】
１    記録再生装置
５    記録媒体（記録手段）
５１  ＤＶＤ
５２  ＨＤＤ
５３  外部記憶媒体
６    内部制御部（制御手段）
６１  削除制御部（削除手段）
６２  ムーブ制御部（ムーブ手段）
６５  残量制御部（残量制御手段）
７    メモリ（ムーブコンテンツ記憶手段）
１０  外部接続処理部
【図１】
2008251088.tif 000003
【図２】
2008251088.tif 000004
【図３】
2008251088.tif 000005